(57)【特許請求の範囲】
【請求項１】
庫本体の内部に形成され、高さ位置変更可能に取付けられた収容物載置部を備えた冷却室と、
この庫本体に設けられ前記冷却室を開閉する扉と、
この扉の内面に設けられた扉ポケットとを備え、
前記扉ポケットの収容物載置部側の前板部上端部に冷却室奥側へ向けて上方に傾斜し、  収納物載置部の高さ位置により、前記扉ポケットの前板部上端部が前記収容物載置部よりも上方に位置し、かつ前記収容物載置部に載置された長尺容器のキャップなどが前記扉ポケット内に位置する状況で、
開扉に伴う当該キャップなどに対する前記前板部上端部の引掛かりを防止する傾斜部を延出させて形成したことを特徴とする冷蔵庫。
【請求項２】
収容物載置部の前端と扉ポケットの傾斜部との間は所定距離以上離間する構成となっていることを特徴とする請求項１に記載の冷蔵庫。
【発明の詳細な説明】
【０００１】
【発明の属する技術分野】
本発明は、扉の内面に扉ポケットを備えた冷蔵庫に関する。
【０００２】
【発明が解決しようとする課題】
図６には従来の冷蔵庫の一例を示している。庫本体１の内部には冷却室例えば冷蔵室２が形成され、この冷蔵室２の内部に棚３が上下複数段に設けられている。また、庫本体１の前部には冷蔵室２を開閉するための扉４が設けられており、この扉４の内面には、扉ポケット５が例えば複数設けられている。この扉ポケット５には、缶類とかマヨネーズとか、あるいは大きめの扉ポケット５には、比較的大きめのビン類とかを収容するようになっている。この扉ポケット５における棚３側の前板部５ａは図７に示すようにほぼ垂直状に形成されている。
【０００３】
ところで、上記棚３にペットボトル６が、例えば図８に示すように、その後側に別の収容物７が介在した状態で棚３から前方へ突出する形態に配置された場合、扉４が閉塞された時に、ペットボトル６のキャップ受け６ａが相対的に扉ポケット５の前記前板部５ａを乗り越えてしまう状態となることがある（図８実線参照）。
この場合に、扉４を開放すると、これに伴って扉ポケット５が矢印Ｑ方向に動くが、このときその前板部５ａがキャップ受け６ａと掛合したままとなって、ペットボトル６が引き出され、棚３から脱落するおそれがあった。このような不具合は、ペットボトル以外の収容物例えばキャップ付きの長尺容器（ビール瓶など）でもいえるものであった。
【０００４】
本発明は上述の事情に鑑みてなされたものであり、その目的は、収容物が扉ポケットに引掛かって脱落するようなことのない冷蔵庫を提供するにある。
【０００５】
【課題を解決するための手段】
請求項１の発明は、庫本体の内部に形成され、高さ位置変更可能に取付けられた収容物載置部を備えた冷却室と、この庫本体に設けられ前記冷却室を開閉する扉と、この扉の内面に設けられた扉ポケットとを備え、前記扉ポケットの収容物載置部側の前板部上端部に冷却室奥側へ向けて上方に傾斜し、収納物載置部の高さ位置により、前記扉ポケットの前板部上端部が前記収容物載置部よりも上方に位置し、かつ前記収容物載置部に載置された長尺容器のキャップなどが前記扉ポケット内に位置する状況で、開扉に伴う当該キャップなどに対する前記前板部上端部の引掛かりを防止する傾斜部を延出させているから、扉を開放した時に、キャップなど（キャップ受けあるいはキャップ）が前板部上端部である傾斜部に引掛かることがなく、収容物であるペットボトルが収容物載置部から脱落することがない。
【０００６】
この場合、収容物載置部の前端と扉ポケットの傾斜部先端部との間は所定距離以上離間する構成とすると良い（請求項２の発明）。
扉ポケットの前板部の上端部に傾斜部を形成すると、この扉ポケットの傾斜部先端部と収容物載置部の前端との間が狭くなるおそれがある。この場合には、冷気の流れが悪くなることがある。しかるに、収容物載置部の前端と扉ポケットの傾斜部先端部との間は所定距離以上離間する構成としているから、冷気の流れが悪くなることがない。
【０００７】
【発明の実施の形態】
以下、本発明の第１の実施例につき図１ないし図４を参照しながら説明する。まず、冷蔵庫の全体を斜視して示す図２において、庫本体１１の内部には、上から順に、冷却室に相当する冷蔵室１２、野菜室１３、製氷室１４、温度切替室１５および冷凍室１６が形成されており、それぞれ、庫本体１１の前部に設けられた扉１７〜２１により開閉されるようになっている。
【０００８】
図３には、庫本体１１における冷蔵室１２部分を縦断して示しており、冷蔵室１２の背部および天井面に沿って冷気供給ダクト２２が形成されており、この冷気供給ダクト２２は図示しない冷却器および送風機によって生成された冷気を図示矢印で示すように冷蔵室１２内へ供給し得るようになっている。なお、この冷気供給ダクト２２の流路において狭い部分の幅（符号Ａで示す）は１５ｍｍ程度となっている。
【０００９】
また、冷蔵室１２内には、収容物載置部たる複数の棚２３が棚受２４を介して高さ位置変更可能に取り付けられており、その下方には別の棚２５が設けられている。さらに、この冷蔵室１２の下部にはチルドケース２６が設けられている。一方、冷蔵室１２用の扉１７の内面には、本発明に関わる扉ポケット２７、２８が設けられていると共に、その下方に別の扉ポケット２９、３０が設けられている。
【００１０】
前記扉ポケット２７、２８は横幅が冷蔵室２のほぼ横幅一杯に設定されており、上面を開放した矩形箱状をなしている。この扉ポケット２７、２８における前板部２７ａ、２８ａは全体としては垂直状をなしている。ただし、この前板部２７ａ、２８ａの上端部には、図４に示すように、それぞれ冷蔵室１２奥側へ向けて上方へ傾斜する傾斜部３１が延出されている。この場合、棚２３の前端と扉ポケット２７、２８の傾斜部３１先端部との間（図３に符号Ｂで示す）は所定距離この場合１５ｍｍ以上離間する構成としている。
【００１１】
上記構成の本実施例において、例えば下段の棚２３に例えばペットボトル６が載置され、扉１７が閉塞されたときに、図１に示すように、ペットボトル６のキャップ受け６ａが相対的に扉ポケット２８の前板部２８ａを乗り越えたとしても、扉ポケット２８の前板部２８ａ上端部は、冷却室１７奥側へ向けて傾斜する傾斜部３１となっているから、扉１７が開放されたとき（扉１７および扉ポケット２８は矢印Ｃ方向へ移動する）、キャップ受け６ａあるいはキャップ６ｂが前板部２８ａ上端部である傾斜部３１に引掛かることがなく、ペットボトル６が棚２３から脱落することがない。
【００１２】
特には、棚２３の前端と扉ポケット２７、２８の傾斜部３１先端部との間を所定距離この場合１５ｍｍ以上離間する構成としているから、つまり、冷気供給ダクト２２の最狭部よりも広いから、冷気の流れが悪くなることがない。
【００１３】
図５は本発明の第２の実施例を示しており、この実施例においては、傾斜部３２を扉ポケット２７、２８の上端から内側へ下降傾斜するように形成した点が第１の実施例と異なる。この第２の実施例においても第１の実施例と同様の効果を得ることができる。
【００１４】
【発明の効果】
本発明は以上の説明から明らかなように、次の効果を得ることができる。
請求項１の発明によれば、扉ポケット前板部上端部に、収容物の一部が掛合したような場合において、扉が閉塞されたとしても、扉ポケット前板部上端部に収容物の一部が引掛かることがなく、収容物が収容物載置部から脱落することがない。
請求項２の発明によれば、収容物載置部の前端と扉ポケットの傾斜部先端部との間をは所定距離以上離間する構成としたから、冷気の流れが悪くなることもない。
【図面の簡単な説明】
【図１】本発明の第１の実施例を示し、扉ポケットとペットボトルとが掛合した状態の扉ポケット部分の縦断側面図
【図２】冷蔵庫の斜視図
【図３】冷蔵室部分の縦断側面図
【図４】扉ポケットの傾斜部部分の縦断側面図
【図５】本発明の第２の実施例を示す図４相当図
【図６】従来例を示す図３相当図
【図７】図４相当図
【図８】扉ポケットとペットボトルとが掛合した状態の扉ポケットおよび棚部分の縦断側面図
【符号の説明】
１１は庫本体、１２は冷蔵室（冷却室）、１７は扉、２２は冷気供給ダクト、２３は棚（収容物載置部）、２７、２８は扉ポケット、２７ａ、２８ａは前板部、３１、３２は傾斜部を示す。
【図１】
0003822035.tif 000002
【図２】
0003822035.tif 000003
【図３】
0003822035.tif 000004
【図４】
0003822035.tif 000005
【図５】
0003822035.tif 000006
【図６】
0003822035.tif 000007
【図７】
0003822035.tif 000008
【図８】
0003822035.tif 000009